(57)【要約】【課題】本発明の課題は、宅内等の露出配線施工の工数を削減でき、配線部の小型化・軽量化・柔軟性により曲り壁やコーナにおける施工性が著しく向上すると共に、美観上も優れる光テープ心線を提供することにある。【解決手段】本発明は、光ファイバ心線２２を被覆するテープ心線保護被覆２１の裏面に設けられた両面接着テープ２３と、テープ心線保護被覆２１の両側を部分的に分離し易くするために、光ファイバ心線２２の長手方向に設けられた一対の第１の切り込み部２４、及び光ファイバ心線２２の長手方向と直角方向に所定の間隔で複数設けられた第２の切り込み部２５と、第１の切り込み部２４及び第２の切り込み部２５に対応した両面接着テープ２３に設けられた分離し易い切り目２６とを具備することを特徴とするものである。【選択図】図２
2006145979.tif 000002
【特許請求の範囲】
【請求項１】
光ファイバ心線を被覆するテープ心線保護被覆と、
前記テープ心線保護被覆の両側を部分的に分離し易くするために、前記光ファイバ心線の長手方向に設けられた一対の第１の切り込み部、及び前記光ファイバ心線の長手方向と直角方向に所定の間隔で複数設けられた第２の切り込み部と
を具備することを特徴とする光テープ心線。
【請求項２】
光ファイバ心線を被覆するテープ心線保護被覆と、
前記テープ心線保護被覆の裏面に設けられた接着部と、
前記テープ心線保護被覆の両側を部分的に分離し易くするために、前記光ファイバ心線の長手方向に設けられた一対の第１の切り込み部、及び前記光ファイバ心線の長手方向と直角方向に所定の間隔で複数設けられた第２の切り込み部と
を具備することを特徴とする光テープ心線。
【請求項３】
光ファイバ心線を被覆するテープ心線保護被覆と、
前記テープ心線保護被覆の裏面に設けられた接着部と、
前記テープ心線保護被覆の両側を部分的に分離し易くするために、前記光ファイバ心線の長手方向に設けられた一対の第１の切り込み部、及び前記光ファイバ心線の長手方向と直角方向に所定の間隔で複数設けられた第２の切り込み部と、
前記第１の切り込み部及び第２の切り込み部に対応した前記接着部に設けられた分離し易い分離部と
を具備することを特徴とする光テープ心線。
【請求項４】
接着部として、テープ心線保護被覆の裏面に接着剤が塗布されることを特徴とする請求項２又は３に記載の光テープ心線。
【請求項５】
接着部として、テープ心線保護被覆の裏面に両面接着テープを貼り付けることを特徴とする請求項２又は３に記載の光テープ心線。
【請求項６】
テープ心線保護被覆の裏面の中央部長手方向に設けられた第３の切り込み部と、
前記第３の切り込み部に対応した接着部に設けられた切れ目とを具備することを特徴とする請求項２乃至５のいずれかに記載の光テープ心線。
【請求項７】
テープ心線保護被覆として、軟質塩化ビニル樹脂等の軟質プラスチック、ポリエチレン、四フッ化エチレン樹脂等の半硬質プラスチックを用いることを特徴とする請求項１乃至６のいずれかに記載の光テープ心線。
【発明の詳細な説明】
【技術分野】
【０００１】
本発明は、特に宅内・構内における光ネットワークを構築するための露出配線工事に使用される光テープ心線に関するものである。
【背景技術】
【０００２】
図８（ａ），（ｂ）は従来のワイヤプロテクタを示す上面図及び断面図である。すなわち、宅内・構内における光ネットワークを構築するための露出配線工事を行う際、先ず壁にワイヤプロテクタ本体１１を貼り付け、その後、光インドアケーブルあるいは光コード１２をワイヤプロテクタ本体１１に収容し、最後に、ワイヤプロテクタの蓋１３をワイヤプロテクタ本体１１に被せて終了となる。
【特許文献１】特開平５−３４６５１１号公報
【発明の開示】
【発明が解決しようとする課題】
【０００３】
従来のワイヤプロテクタでは、露出配線工事の工数が多く、作業性が高くない上、ワイヤプロテクタを壁に貼り付ける際、曲がり角、壁際等への対応が難しい。また、ワイヤプロテクタが光インドアケーブルあるいは光コードに比べて大きいので、壁の美観を損なう可能性もある。
【０００４】
本発明は上記の事情に鑑みてなされたもので、宅内等の露出配線施工の工数を削減でき、配線部の小型化・軽量化・柔軟性により曲り壁やコーナにおける施工性が著しく向上すると共に、美観上も優れる光テープ心線を提供することを目的とする。
【課題を解決するための手段】
【０００５】
上記目的を達成するために本発明の光テープ心線は、光ファイバ心線を被覆するテープ心線保護被覆と、前記テープ心線保護被覆の裏面に設けられた接着部と、前記テープ心線保護被覆の両側を部分的に分離し易くするために、前記光ファイバ心線の長手方向に設けられた一対の第１の切り込み部、及び前記光ファイバ心線の長手方向と直角方向に所定の間隔で複数設けられた第２の切り込み部と、前記第１の切り込み部及び第２の切り込み部に対応した前記接着部に設けられた分離し易い分離部とを具備することを特徴とするものである。
【０００６】
また本発明は、前記接着部として、テープ心線保護被覆の裏面に接着剤が塗布されることを特徴とするものである。
【０００７】
また本発明は、前記接着部として、テープ心線保護被覆の裏面に両面接着テープを貼り付けることを特徴とするものである。
【０００８】
また本発明は、前記光テープ心線として、テープ心線保護被覆の裏面の中央部長手方向に設けられた第３の切り込み部と、前記第３の切り込み部に対応した接着部に設けられた切れ目とを具備することを特徴とするものである。
【０００９】
また本発明は、前記テープ心線保護被覆として、軟質塩化ビニル樹脂等の軟質プラスチック、ポリエチレン、四フッ化エチレン樹脂等の半硬質プラスチックを用いることを特徴とするものである。
【発明の効果】
【００１０】
本発明の光テープ心線は、宅内等の露出配線施工の工数を削減でき、配線部の小型化・軽量化・柔軟性により曲り壁やコーナにおける施工性が著しく向上すると共に、美観上も優れるという著しい効果を奏する。
【発明を実施するための最良の形態】
【００１１】
以下図面を参照して本発明の実施の形態例を詳細に説明する。
図１（ａ），（ｂ）は本発明の実施形態例に係る光テープ心線を示す上面図及び断面図である。すなわち、表面中央部が突出した断面凸状の帯状よりなるテープ心線保護被覆２１には長手方向に沿って一対の光ファイバ心線２２が埋設され、一対の光ファイバ心線２２はテープ心線保護被覆２１により被覆される。前記テープ心線保護被覆２１の裏面には両面接着テープ２３が接着部として貼り付けられる。前記テープ心線保護被覆２１に使用する材料は、所定の保護（プロテクト）機能と柔軟性を具備した、軟質塩化ビニル樹脂等の軟質プラスチックか、ポリエチレン、四フッ化エチレン樹脂等の半硬質プラスチックを用いることができる。
【００１２】
図２（ａ）は本発明の実施形態例に係る光テープ心線を示す斜視図であり、図２（ｂ）は図２（ａ）のＡ部を拡大して示す断面図、図２（ｃ）は図２（ａ）のＢ部を拡大して示す断面図、図２（ｄ），（ｅ）はそれぞれ図２（ａ）のＢ部の他の例を拡大して示す断面図である。すなわち、図２（ａ）〜（ｃ）に示すように、前記テープ心線保護被覆２１には両側を部分的に分離し易くして切り取るために、前記断面凸状の段差部には前記光ファイバ心線２２の長手方向に一対の第１の切り込み部２４が設けられると共に、前記断面凸状の段差部から両側端に至る部分には前記光ファイバ心線２２の長手方向と直角方向に所定の間隔で複数の第２の切り込み部２５が設けられる。前記第１の切り込み部２４及び第２の切り込み部２５に対応した両面接着テープ２３には分離し易い分離部として切り目２６が設けられる。
【００１３】
尚、図２（ｄ），（ｅ）に示すように、前記テープ心線保護被覆２１の両側部の断面形状はかまぼこ状あるいは鋸状になるようにしてもよい。
【００１４】
図３は本発明の実施形態例に係る光テープ心線の第１の使用例を示す構成説明図である。すなわち、垂直壁３１と天井３２に光テープ心線３３を露出配線する場合であり、この場合にはテープ心線保護被覆２１の両側を垂直壁３１と天井３２の境目部分で部分的に切り取るために、第１の切り込み部２４、第２の切り込み部２５、及び両面接着テープ２３の切り目２６から切り取った切り取り部３４を設けることにより、光テープ心線３３の施工性が著しく向上する。
【００１５】
図４は本発明の実施形態例に係る光テープ心線の第２の使用例を示す構成説明図である。すなわち、垂直壁４１に光テープ心線４２を直角に曲げて露出配線する場合であり、この場合にはテープ心線保護被覆２１の曲げ部内側を部分的に切り取るために、第１の切り込み部２４、第２の切り込み部２５、及び両面接着テープ２３の切り目２６（図示せず）から切り取った切り取り部４３を設けると共に、テープ心線保護被覆２１の曲げ部外側を部分的に広げた短冊状部４４にするために、第２の切り込み部２５、及び両面接着テープ２３の切り目２６から切り離したものである。
【００１６】
図５は本発明の他の実施形態例に係る光テープ心線の使用例を示す構成説明図である。すなわち、垂直壁５１と天井５２の境目の角部に沿って光テープ心線５３を露出配線する場合である。
【００１７】
図６は本発明の他の実施形態例に係る光テープ心線を示す断面図である。すなわち、表面中央部が突出した断面凸状の帯状よりなるテープ心線保護被覆５４には長手方向に沿って一対の光ファイバ心線５５が埋設され、一対の光ファイバ心線５５はテープ心線保護被覆５４により被覆される。前記テープ心線保護被覆５４の裏面中央部には光ファイバ心線５５の長手方向に三角形状の切り込み部５６が設けられる。前記テープ心線保護被覆５４の裏面には両面接着テープ５７が接着部として貼り付けられ、前記両面接着テープ５７の前記切り込み部５６に対応する部分には切れ目５８が設けられる。前記テープ心線保護被覆５４に使用する材料は、所定の保護（プロテクト）機能と柔軟性を具備した、軟質塩化ビニル樹脂等の軟質プラスチックか、ポリエチレン、四フッ化エチレン樹脂等の半硬質プラスチックを用いることができる。
【００１８】
図７は本発明の他の実施形態例に係る光テープ心線の使用例を示す断面図である。すなわち、垂直壁５１と天井５２の境目の角部に沿って光テープ心線５３を露出配線する場合である。この場合には光ファイバ心線５５の切り込み部５６、及び両面接着テープ５７の切れ目５８を開いて、前記切れ目５８により分離された両面接着テープ５７のカバーシールを剥がしてそれぞれ垂直壁５１と天井５２に貼り付ける。
【００１９】
尚、光テープ心線のテープ心線保護被覆の裏面に設けられる接着部は、両面接着テープに限らず、予め工場で接着剤が塗布され、そのカバーシールを剥がして取り付ける等のテープ心線保護被覆自体が接着機能を有するようにしてもよい。また、テープ心線保護被覆自体が接着機能を有していなくても、市販の両面接着テープを使用して取り付けるようにしてもよい。また、光テープ心線は、一対の光ファイバ心線を有する光テープ心線に限らず、単心の光ファイバ心線を有する光テープ心線、あるいは３心以上の多心の光ファイバ心線を有する光テープ心線を用いても同様に実施することができる。
【００２０】
以上のように本発明の光テープ心線は、家やオフィスなどの建物の中に、簡単且つ高い施工性で光配線ができるための配線部品である。特に、既築の建物内の光露出配線に有効な配線部品である。また、露出配線時、問題となる曲がり角配線、壁際配線を効率良く行うことができる配線部品であり、構造が簡単で、低コストで実現できる配線部品である。さらに、非常に薄く、細くできるため、露出配線による壁の美観を損なうことを最小限に留めることができる。
【００２１】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２２】
【図１】（ａ），（ｂ）は本発明の実施形態例に係る光テープ心線を示す上面図及び断面図である。
【図２】（ａ）は本発明の実施形態例に係る光テープ心線を示す斜視図であり、（ｂ）は（ａ）のＡ部を拡大して示す断面図、（ｃ）は（ａ）のＢ部を拡大して示す断面図、（ｄ），（ｅ）はそれぞれ（ａ）のＢ部の他の例を拡大して示す断面図である。
【図３】本発明の実施形態例に係る光テープ心線の第１の使用例を示す構成説明図である。
【図４】本発明の実施形態例に係る光テープ心線の第２の使用例を示す構成説明図である。
【図５】本発明の他の実施形態例に係る光テープ心線の使用例を示す構成説明図である。
【図６】本発明の他の実施形態例に係る光テープ心線を示す断面図である。
【図７】本発明の他の実施形態例に係る光テープ心線の使用例を示す断面図である。
【図８】（ａ），（ｂ）は従来のワイヤプロテクタを示す上面図及び断面図である。
【符号の説明】
【００２３】
２１…テープ心線保護被覆、２２…光ファイバ心線、２３…両面接着テープ、２４…第１の切り込み部、２５…第２の切り込み部、２６…切り目。
【図１】
2006145979.tif 000003
【図２】
2006145979.tif 000004
【図３】
2006145979.tif 000005
【図４】
2006145979.tif 000006
【図５】
2006145979.tif 000007
【図６】
2006145979.tif 000008
【図７】
2006145979.tif 000009
【図８】
2006145979.tif 000010